(57)【特許請求の範囲】
【請求項１】
軸方向に沿って一側に平らな回転防止部（２１、４２０、４２０Ａ）を形成した断面が円形状のロッド部（２０、４２、４２Ａ）を具え、一端にソケット（４１、４１Ａ）を設けたロッド状工具（４０、４０Ａ）と、
上記ロッド状工具（４０、４０Ａ）のソケット（４１、４１Ａ）に嵌合可能な係止部（１１）を底部に有し、横向きに貫通する円形状の接続孔（１２）が形成され、該接続孔（１２）の中央に垂直に上向きな貫通孔（１３）が設けられた、接続部材（１０）と、
上記ロッド状工具（４０、４０Ａ）のロッド部（２０、４２、４２Ａ）に形成された平らな回転防止部（２１、４２０、４２０Ａ）に当接する平らな位置決め部（３１）と、該位置決め部（３１）の中央に垂直に上向きに延伸されて、上記接続部材（１０）の貫通孔（１３）に挿入される固定部（３２）と、該固定部（３２）の上端面に形成される表示部（３３）を具え、円形状の上記接続孔（１２）に挿入される位置決め部材（３０）と、
から成ることを特徴とする、安全工具セット。
【発明の詳細な説明】
【技術分野】
【０００１】
本発明は安全工具セットに係り、特に、Ｔロッド、十字レンチ或いは接続ロッド等の工具を指し、それは延長ロッド部の工具形態を具え、ロッド部に回転防止部が設けられ、接続部材或いはその他の工具と組み合わされる時に、回転防止の安全状態を保持でき、高い実用性を具えた、回転防止の安全工具に関する。
【背景技術】
【０００２】
本体が円形ロッド状の工具は非常に多く、そのうち、Ｔ型或いは十字型のレンチは、そのロッド部が円柱ロッドの構造形態とされている。例えば、図７に示されるものでは、接続部材１０に工作物或いはソケット或いは接続手段が嵌合される接続部１１が設けられ、該接続部材１０に横向きに円形ロッド状のロッド部２０がスライド自在に通され、使用者はロッド部を操作して大きなトルクを以て接続部で、或いは接続部に嵌合されたソケット或いは接続手段を介して工作物を駆動できる。このような構造は以下のような欠点を有している。
１．使用上の安全性に問題がある。
工作物を駆動する時、使用者は手でロッド部を回すが、ロッド部は円形ロッドであるため不当な回転を発生することがあり、使用者がロッド部を握持して確実に力を入れて操作できず、ロッド部が滑って移動し、不当な急速移動を発生して他の物品に衝突し不必要な損害を形成することがある。
２．ロッド部と接続部材間の緩い結合によりロッド部がスライドし、安全でなく実用性が低い。
３．接続部材とロッド部の間の嵌合はゆるく組み合わされた形態とされ、ロッド部を操作して物品を駆動する時、使用者がロッド部から手を緩めると、ロッド部が接続部材内でスライドし、回すのに最適の位置を保持できず、新たに調整しなければならなくなり、且つこのロッド部がスライドする過程で、ロッド部が他の物品に衝突してその物品を損傷しまた、安全性に影響を与え、且つ実用性が低くなる。
【０００３】
また、十字レンチについては、その基本構造は図８のようであり、そのロッド部２０もまた円形ロッド状を呈し、使用者はロッド部２０を握持する時に確実な施力が行なえず、高い安全性を達成できない。且つその全体は固定式の十字構造とされ、収納や使用上不便である。このため業者によっては二つのロッド部２０を交叉させて中心部で枢設した形態を採用し、これにより二つのロッド部２０を折り畳んだ収納形態或いは展開した十字形の使用形態とすることができるようにしている。このような十字レンチは中央の枢設部分に応力集中の破壊点が形成されてそこが破壊されやすく、且つ施力時に二つのロッド部２０
の長さを一定に保持する必要があり、異なる要求に対して施力アームを変化させることができず、改良の必要がある。
【発明の開示】
【発明が解決しようとする課題】
【０００４】
本発明はレンチ又は操作レバーのロッド部とそれに組み合わされる部品を相互に不回転で且つ安全な状態に保持できる安全工具セットを提供するものである。
【０００５】
即ち、本発明の主要な目的は、一種の回転防止の安全工具セットを提供することにあり、それは操作レバー或いはレンチのロッド部に回転防止面が設けられ、接続部材に接続孔と位置決め部材が設けられ、ロッド部と接続部材の組合せを安定した状態に保持でき、高い安全性の要求を達成できるものとする。
【課題を解決するための手段】
【０００６】
請求項１の発明は、軸方向に沿って一側に平らな回転防止部（２１、４２０、４２０Ａ）を形成した断面が円形状のロッド部（２０、４２、４２Ａ）を具え、一端にソケット（４１、４１Ａ）を設けたロッド状工具（４０、４０Ａ）と、
上記ロッド状工具（４０、４０Ａ）のソケット（４１、４１Ａ）に嵌合可能な係止部（１１）を底部に有し、横向きに貫通する円形状の接続孔（１２）が形成され、該接続孔（１２）の中央に垂直に上向きな貫通孔（１３）が設けられた、接続部材（１０）と、
上記ロッド状工具（４０、４０Ａ）のロッド部（２０、４２、４２Ａ）に形成された平らな回転防止部（２１、４２０、４２０Ａ）に当接する平らな位置決め部（３１）と、該位置決め部（３１）の中央に垂直に上向きに延伸されて、上記接続部材（１０）の貫通孔（１３）に挿入される固定部（３２）と、該固定部（３２）の上端面に形成される表示部（３３）を具え、円形状の上記接続孔（１２）に挿入される位置決め部材（３０）と、
から成ることを特徴とする、安全工具セットである。
【発明の効果】
【０００７】
本発明は以下のような目的と効果を達成する。
１．安全性が高い。
接続部材に工具のロッド部に対応するよう設置された回転防止部が施力時の回転防止の効果を提供し、ロッド部を旋回させる過程での不当な回転を防止し、使用者が確実に操作レバー或いはレンチを握持でき、安全性を高めることができる。
２．使用の便利性が高い。
接続部材に組み合わされた位置決め部材にロッド部の回転防止部が組み合わされることで、接続部材とロッド部が最適な作業位置に保持され、手を離した後にロッド部がスライドして新たに調整が必要となることがない。
３．実際の必要に応じた位置決めが行なえる。
ロッド部が位置決め部材と回転防止部の組合せにより弾性位置決めを形成する構造形態により、ロッド部のどの位置でも位置決めと回転防止が行なえ、異なる環境及び使用上の要求に対応できる。
４．作業時の施力アームが有効に調整される。
ロッド部が接続部材に対してスライドさせられてから位置決めされ、使用者は施力の必要に応じてロッド部の長さを延長或いは短縮でき、効率的な施力を行なうことができ、全体の使用効率が高められる。
５．製造に便利である。
ロッド部には特別な位置決め構造を製作する必要がなく、伝統的な工具を使用した場合にも確実に緊迫位置決めの目的を達成できる。
【０００８】
総合すると、本発明は上述の諸機能を達成し、ゆえに本発明は新規性、進歩性及び産業上の利用価値を有する発明である。
【発明を実施するための最良の形態】
【０００９】
図１及び図２に示されるように、本発明の工具形態はＴ形工具或いは十字レンチ或いは接続ロッド或いは延伸ロッドが組み合わされて延長使用される工具とされる。そのうち、Ｔ形工具を例に説明をすると、それは接続部材（１０）の底部に接続部（１１）が設けられて工作物或いはソケット或いはその他の工具の接続に供され、該接続部（１１）の上部の大径の本体に横向きに貫通する円形状の接続孔（１２）が穿たれ、ロッド部（２０）の通過に供され、その接続孔（１２）の中央に垂直に上向きに貫通孔（１３）が設けられている。本発明の特徴は以下のとおりである。
【００１０】
上記接続部材（１０）内には、断面が円形状のロッド部（２０）の構造に対応して該ロッド部（２０）に回転防止の機能を提供する位置決め部材（３０）が設けられている。
【００１１】
上記ロッド部（２０）は、少なくとも一側に平らな回転防止部（２１）が設けられ、該回転防止部（２１）の端部近くに凹んだ固定部（２２）が設けられ、ビーズ形態の固定体（２３）が該固定部（２２）に嵌め込まれる。固定部（２２）に固定体（２３）が嵌め込まれる前に、ロッド部（２０）は上記接続部材（１０）の接続孔（１２）に通されてから固定され、ロッド部（２０）は接続部材（１０）に対してスライド不能とされ脱出しない。
【００１２】
上記接続部材（１０）にロッド部（２０）が組み合わされる前に、該接続部材（１０）に上記位置決め部材（３０）が組み合わされる。該位置決め部材（３０）はＴ形の弾性体とされる。上記接続部材（１０）の接続孔（１２）内に位置する下部に、該位置決め部材（３０）の下面には平らな位置決め部（３１）が形成されて、上記ロッド部（２０）の平らな回転防止部（２１）と当接されて、ロッド部（２０）の回転防止する。位置決め部材（３０）の位置決め部（３１）の中央より垂直に円柱状の固定部（３２）が設けられ、該固定部（３２）は上記接続部材（１０）の貫通孔（１３）内に挿入される。該固定部（３２）の上部の貫通孔（１３）部分に露出した端面には表示部（３３）が設けられ、表示部（３３）に商標或いはサイズ或いはその他の様式の表示体（３４）が設けられ、表示性の極めて良好な構造形態を形成している。
【００１３】
本発明の接続部材（１０）には一般のロッド状工具を組み合わせて使用でき、図１、２では接続ロッド形態のレンチ（４０）が組み合わされている。該レンチ（４０）の一端は大径とされて方形内孔を具えたソケット（４１）とされ、接続部材（１０）の接続部（１１）と嵌合され、ソケット（４１）の反対端より円形ロッド状のロッド部（４２）が延伸され、該ロッド部（４２）の別端に方形柱状でスチールボールを具えた係止端（４３）が設けられている。このレンチ（４０）のロッド部（４２）には平らな面を形成した回転防止部（４２０）が設けられ、図３のように使用される時、そのレンチ（４０）の回転防止部（４
２０）が上記位置決め部材（３０）の位置決め部（３１）と組み合わされて回転防止する。
また、図４、５、６に示されるように、本発明の接続部材（１０Ａ）は直接二組のレンチのロッド部（４２）の回転防止部（４２０）に組合せることができ、その接続部材（１０Ａ）は二組の垂直に交叉するよう設置された接続孔（１２Ａ）を具え、且つ接続孔（１２Ａ）の上端と下端に平らな回転防止部（１２０）が設けられ、二つの交叉するレンチ（４０）、（４０Ａ）のロッド部（４２）、（４２Ａ）に対応する回転防止部（４２０）、（４２０Ａ）が設けられ、レンチ（４０）、（４０Ａ）のうち、レンチ（４０）は図１から図３に示される接続ロッドの構造形態とされ、レンチ（４０）の一端は大径とされ方形内孔を具えたソケット（４１）とされ、ロッド部（４２）の別端は方形柱状でスチールボールを具えた係止端（４３）とされ、もう一方のレンチ（４０Ａ）はロッド部（４２Ａ）の両端にソケット形態のソケット（４１）が設けられ、十字レンチの構造形態を形成している。接続部材（１０）の上部と底部に別に垂直孔状の貫通孔（１３）が設けられ、並びに貫通孔（１３）の内周に雌ネジ形態の螺子止め部（１３０）が設けられ、位置決め部材（３０Ａ）がレンチ（４０）、（４０Ａ）を圧迫する端部に平らな位置決め部（３１Ａ）が設けられ、位置決め部（３１Ａ）の中央より垂直に延伸された円柱状の雄ネジ形態の固定部（３２Ａ）と螺子止め部（１３０）が固定され、固定部（３２Ａ）の上部の貫通孔（１３）において露出する端面に表示部（３３Ａ）が設けられ、表示部（３３Ａ）の端面に商標或いはサイズ或いはその他の様式の一字状の表示体（３４Ａ）が設けられ、この表示構造の形態は展示性が極めて良好で直接取付できる。また、二つのレンチ（４０）、（４０Ａ）の間の接続部材（１０）の空間内に、別に弾性を具えた回復部材（５０）が設けられ、該回復部材（５０）に上と下の二組の耐磨パッド（５１）が組み合わされ、二つのレンチ（４０）、（４０Ａ）に対して弾性摩擦の力を提供する。
【図面の簡単な説明】
【００１４】
【図１】本発明の立体外観図である。
【図２】本発明のシステム分解図である。
【図３】本発明の第２実施例表示図である。
【図４】本発明の第３実施例表示図である。
【図５】本発明の第３実施例の分解図である。
【図６】本発明の第３実施例の実施表示図である。
【図７】周知のレンチ表示図である。
【図８】周知の十字レンチの表示図である。
【符号の説明】
【００１５】
１０、１０Ａ  接続部材                １１  接続部
１２、１２Ａ  接続孔
１２０  回転防止部
１３  貫通孔                        １３０  螺子止め部
２０  ロッド部                        ２１  回転防止部
２２  固定部                          ２３  固定体
３０、３０Ａ  位置決め部材
３１、３１Ａ  位置決め部
３２、３２Ａ  固定部
３３、３３Ａ  表示部
３４、３４Ａ  表示体
４０、４０Ａ  レンチ
４１、４１Ａ  ソケット
４２、４２Ａ  ロッド部
４３  係止端
４２０、４２０Ａ  回転防止部
５０  回復部材
５１  耐磨パッド
【図１】
0004174459.tif 000002
【図２】
0004174459.tif 000003
【図３】
0004174459.tif 000004
【図４】
0004174459.tif 000005
【図５】
0004174459.tif 000006
【図６】
0004174459.tif 000007
【図７】
0004174459.tif 000008
【図８】
0004174459.tif 000009